(57)【要約】【課題】  消費電力を抑えつつＡ／Ｄコンバータにおけるサンプリングの効率を向上させる。【解決手段】  携帯電話機１Ａのパケット受信部１０Ａは、基地局から送信されたパケットを受信し、伝送誤り検出部２０Ａは、受信されたパケットの伝送誤りを検出する。再送要求送信部３０Ａは、伝送誤りが検出された場合に、伝送誤りが検出されたパケットを再送するように要求するための再送要求を基地局に送信し、サンプルタイミング制御部４０Ａは、Ａ／Ｄコンバータにおけるサンプルタイミングを半クロックずらす。【選択図】  図１
2006254335.tif 000002
【特許請求の範囲】
【請求項１】
アナログ信号を受信する受信手段と、
前記受信手段により受信されたアナログ信号の伝送誤りを検出する伝送誤り検出手段と、
前記伝送誤り検出手段により前記伝送誤りが検出された場合に、当該伝送誤りが検出されたアナログ信号を再送するように要求するための再送要求を送信する再送要求送信手段と、
アナログ信号をデジタル信号に変換するためのＡ／Ｄコンバータにおけるサンプルタイミングを制御するサンプルタイミング制御手段と、を備え、
前記サンプルタイミング制御手段は、前記再送要求送信手段により前記再送要求が送信された場合に、前記Ａ／Ｄコンバータにおけるサンプルタイミングを半クロックずらすことを特徴とする移動通信端末。
【請求項２】
アナログ信号を受信する受信手段と、
前記受信手段により受信されたアナログ信号の変調方式を判別する変調方式判別手段と、
前記受信手段により受信されたアナログ信号の伝送誤りを検出する伝送誤り検出手段と、
前記伝送誤り検出手段により前記伝送誤りが検出された場合に、当該伝送誤りが検出されたアナログ信号を再送するように要求するための再送要求を送信する再送要求送信手段と、
アナログ信号をデジタル信号に変換するためのＡ／Ｄコンバータにおけるサンプルタイミングを制御するサンプルタイミング制御手段と、を備え、
前記サンプルタイミング制御手段は、前記再送要求に対応して再送されてきたアナログ信号が、前記変調方式判別手段によって前記変調方式が直行振幅変調であると判別されたアナログ信号である場合に、前記Ａ／Ｄコンバータにおけるサンプルタイミングを半クロックずらすことを特徴とする移動通信端末。
【請求項３】
アナログ信号を受信する受信手段と、
前記受信手段により受信されたアナログ信号のデータサイズが所定の閾値を超えているか否かを判定するデータサイズ判定手段と、
前記受信手段により受信されたアナログ信号の伝送誤りを検出する伝送誤り検出手段と、
前記伝送誤り検出手段により前記伝送誤りが検出された場合に、当該伝送誤りが検出されたアナログ信号を再送するように要求するための再送要求を送信する再送要求送信手段と、
アナログ信号をデジタル信号に変換するためのＡ／Ｄコンバータにおけるサンプルタイミングを制御するサンプルタイミング制御手段と、を備え、
前記サンプルタイミング制御手段は、前記再送要求に対応して再送されてきたアナログ信号が、前記データサイズ判定手段によって前記データサイズが所定の閾値を超えていると判定されたアナログ信号である場合に、前記Ａ／Ｄコンバータにおけるサンプルタイミングを半クロックずらすことを特徴とする移動通信端末。
【請求項４】
アナログ信号を受信する受信手段と、
前記受信手段により受信されたアナログ信号の変調方式を判別する変調方式判別手段と、
前記受信手段により受信されたアナログ信号のデータサイズが所定の閾値を超えているか否かを判定するデータサイズ判定手段と、
前記受信手段により受信されたアナログ信号の伝送誤りを検出する伝送誤り検出手段と、
前記伝送誤り検出手段により前記伝送誤りが検出された場合に、当該伝送誤りが検出されたアナログ信号を再送するように要求するための再送要求を送信する再送要求送信手段と、
アナログ信号をデジタル信号に変換するためのＡ／Ｄコンバータにおけるサンプルタイミングを制御するサンプルタイミング制御手段と、を備え、
前記サンプルタイミング制御手段は、前記再送要求に対応して再送されてきたアナログ信号が、前記変調方式判別手段によって前記変調方式が直行振幅変調であると判別されたアナログ信号であり、かつ、前記データサイズ判定手段によって前記データサイズが所定の閾値を超えていると判定されたアナログ信号である場合に、前記Ａ／Ｄコンバータにおけるサンプルタイミングを半クロックずらすことを特徴とする移動通信端末。
【請求項５】
前記直行振幅変調は、１６ＱＡＭであることを特徴とする請求項２または４に記載の移動通信端末。
【請求項６】
アナログ信号を受信する受信手段と、
前記受信手段により受信されたアナログ信号の伝送誤りを検出する伝送誤り検出手段と、
アナログ信号をデジタル信号に変換するためのＡ／Ｄコンバータにおけるサンプルタイミングを制御するサンプルタイミング制御手段と、を備え、
前記サンプルタイミング制御手段は、前記伝送誤り検出手段により前記伝送誤りが検出された場合に、前記Ａ／Ｄコンバータにおけるサンプルタイミングを半クロックずらすことを特徴とする移動通信端末。
【請求項７】
前記サンプルタイミング制御手段は、前記伝送誤りが予め定められた所定の回数連続して検出された場合に、前記Ａ／Ｄコンバータにおけるサンプルタイミングを半クロックずらすことを特徴とする請求項６記載の移動通信端末。
【請求項８】
前記伝送誤り検出手段による前記伝送誤りの検出結果に基づいて伝送誤り率を算出する伝送誤り率算出手段をさらに備え、
前記サンプルタイミング制御手段は、前記伝送誤り率算出手段により算出される前記伝送誤り率が所定の閾値を超えた場合に、前記Ａ／Ｄコンバータにおけるサンプルタイミングを半クロックずらすことを特徴とする請求項６記載の移動通信端末。
【発明の詳細な説明】
【技術分野】
【０００１】
本発明は、Ａ／Ｄコンバータを有する移動通信端末に関する。
【背景技術】
【０００２】
携帯電話機等の移動通信端末では、一般に、基地局から受信したパケット（アナログ信号）をＡ／Ｄコンバータでサンプリングしてデジタル信号に変換している。このような移動通信端末では、受信したアナログ信号の最大振幅位置でサンプリングした場合に最良の受信特性を得ることができる。
【０００３】
Ａ／Ｄコンバータでのサンプリングに関する技術については、例えば、下記特許文献１等に開示されている。
【特許文献１】特開２００４−１６５９２９号公報
【発明の開示】
【発明が解決しようとする課題】
【０００４】
ところで、移動通信端末のＡ／Ｄコンバータにおけるサンプリンルタイミングは、受信環境の変化等の影響によって誤差が生じ得る。そして、サンプルタイミングに生ずる誤差が大きくなるほど受信特性が劣化してしまう。
【０００５】
ここで、サンプルタイミングに誤差が生じた場合であっても、サンプルタイミングを増やす（サンプリングの動作速度を上げる）ことでアナログ信号の最大振幅位置付近でのサンプリングの可能性を高めることができる。すなわち、サンプルタイミングを増やすことによって、良好な受信特性を維持させることが可能となる。しかしながら、サンプルタイミングを増やせば増やすほど、消費電力が増大してしまう。
【０００６】
そこで、本発明は、上述した課題を解決するために、消費電力を抑えつつＡ／Ｄコンバータにおけるサンプリングの効率を向上させることができる移動通信端末を提供することを目的とする。
【課題を解決するための手段】
【０００７】
本発明の移動通信端末は、アナログ信号を受信する受信手段と、受信手段により受信されたアナログ信号の伝送誤りを検出する伝送誤り検出手段と、伝送誤り検出手段により伝送誤りが検出された場合に、当該伝送誤りが検出されたアナログ信号を再送するように要求するための再送要求を送信する再送要求送信手段と、アナログ信号をデジタル信号に変換するためのＡ／Ｄコンバータにおけるサンプルタイミングを制御するサンプルタイミング制御手段と、を備え、サンプルタイミング制御手段は、再送要求送信手段により再送要求が送信された場合に、Ａ／Ｄコンバータにおけるサンプルタイミングを半クロックずらすことを特徴とする。
【０００８】
この発明によれば、受信されたアナログ信号に伝送誤りが検出された場合に、再送要求を送信することができ、この送信要求が送信された場合に、Ａ／Ｄコンバータにおけるサンプルタイミングを半クロックずらすことができる。これにより、サンプルタイミングを増やすことなく、再送要求に対応して送信されてきたアナログ信号のサンプルタイミングを実質的に倍増させた場合と同様の結果を得ることが可能となる。したがって、消費電力を抑えつつＡ／Ｄコンバータにおけるサンプリングの効率を向上させることができる。
【０００９】
本発明の移動通信端末は、アナログ信号を受信する受信手段と、受信手段により受信されたアナログ信号の変調方式を判別する変調方式判別手段と、受信手段により受信されたアナログ信号の伝送誤りを検出する伝送誤り検出手段と、伝送誤り検出手段により伝送誤りが検出された場合に、当該伝送誤りが検出されたアナログ信号を再送するように要求するための再送要求を送信する再送要求送信手段と、アナログ信号をデジタル信号に変換するためのＡ／Ｄコンバータにおけるサンプルタイミングを制御するサンプルタイミング制御手段と、を備え、サンプルタイミング制御手段は、再送要求に対応して再送されてきたアナログ信号が、変調方式判別手段によって変調方式が直行振幅変調であると判別されたアナログ信号である場合に、Ａ／Ｄコンバータにおけるサンプルタイミングを半クロックずらすことを特徴とする。また、上記直行振幅変調は、１６ＱＡＭであることが好ましい。
【００１０】
この発明によれば、受信されたアナログ信号の変調方式を判別することができるとともに、受信されたアナログ信号に伝送誤りが検出された場合に再送要求を送信することができる。また、再送要求に対応して送信されてきたアナログ信号が、直行振幅変調により変調されている場合に、Ａ／Ｄコンバータにおけるサンプルタイミングを半クロックずらすことができる。これにより、直行振幅変調により変調されたアナログ信号が再送されてきた場合に、サンプルタイミングを増やすことなく、再送されてきたアナログ信号のサンプルタイミングを実質的に倍増させた場合と同様の結果を得ることが可能となる。したがって、消費電力を抑えつつＡ／Ｄコンバータにおけるサンプリングの効率を向上させることができる。
【００１１】
本発明の移動通信端末は、アナログ信号を受信する受信手段と、受信手段により受信されたアナログ信号のデータサイズが所定の閾値を超えているか否かを判定するデータサイズ判定手段と、受信手段により受信されたアナログ信号の伝送誤りを検出する伝送誤り検出手段と、伝送誤り検出手段により伝送誤りが検出された場合に、当該伝送誤りが検出されたアナログ信号を再送するように要求するための再送要求を送信する再送要求送信手段と、アナログ信号をデジタル信号に変換するためのＡ／Ｄコンバータにおけるサンプルタイミングを制御するサンプルタイミング制御手段と、を備え、サンプルタイミング制御手段は、再送要求に対応して再送されてきたアナログ信号が、データサイズ判定手段によってデータサイズが所定の閾値を超えていると判定されたアナログ信号である場合に、Ａ／Ｄコンバータにおけるサンプルタイミングを半クロックずらすことを特徴とする。
【００１２】
この発明によれば、受信されたアナログ信号のデータサイズが閾値を超えているか否かを判別することができるとともに、受信されたアナログ信号に伝送誤りが検出された場合に再送要求を送信することができる。また、再送要求に対応して送信されてきたアナログ信号のデータサイズが閾値を超えている場合に、Ａ／Ｄコンバータにおけるサンプルタイミングを半クロックずらすことができる。これにより、データサイズが閾値を超えているアナログ信号が再送されてきた場合に、サンプルタイミングを増やすことなく、再送されてきたアナログ信号のサンプルタイミングを実質的に倍増させた場合と同様の結果を得ることが可能となる。したがって、消費電力を抑えつつＡ／Ｄコンバータにおけるサンプリングの効率を向上させることができる。
【００１３】
本発明の移動通信端末は、アナログ信号を受信する受信手段と、受信手段により受信されたアナログ信号の変調方式を判別する変調方式判別手段と、受信手段により受信されたアナログ信号のデータサイズが所定の閾値を超えているか否かを判定するデータサイズ判定手段と、受信手段により受信されたアナログ信号の伝送誤りを検出する伝送誤り検出手段と、伝送誤り検出手段により伝送誤りが検出された場合に、当該伝送誤りが検出されたアナログ信号を再送するように要求するための再送要求を送信する再送要求送信手段と、アナログ信号をデジタル信号に変換するためのＡ／Ｄコンバータにおけるサンプルタイミングを制御するサンプルタイミング制御手段と、を備え、サンプルタイミング制御手段は、再送要求に対応して再送されてきたアナログ信号が、変調方式判別手段によって変調方式が直行振幅変調であると判別されたアナログ信号であり、かつ、データサイズ判定手段によってデータサイズが所定の閾値を超えていると判定されたアナログ信号である場合に、Ａ／Ｄコンバータにおけるサンプルタイミングを半クロックずらすことを特徴とする移動通信端末。また、上記直行振幅変調は、１６ＱＡＭであることが好ましい。
【００１４】
この発明によれば、受信されたアナログ信号の変調方式を判別することができるとともに、受信されたアナログ信号のデータサイズが閾値を超えているか否かを判別することができる。また、受信されたアナログ信号に伝送誤りが検出された場合に再送要求を送信することができる。また、再送要求に対応して送信されてきたアナログ信号が、直行振幅変調により変調されており、かつ、当該アナログ信号のデータサイズが閾値を超えている場合に、Ａ／Ｄコンバータにおけるサンプルタイミングを半クロックずらすことができる。これにより、直行振幅変調により変調され、かつ、データサイズが閾値を超えているアナログ信号が再送されてきた場合に、サンプルタイミングを増やすことなく、再送されてきたアナログ信号のサンプルタイミングを実質的に倍増させた場合と同様の結果を得ることが可能となる。したがって、消費電力を抑えつつＡ／Ｄコンバータにおけるサンプリングの効率を向上させることができる。
【００１５】
本発明の移動通信端末は、アナログ信号を受信する受信手段と、受信手段により受信されたアナログ信号の伝送誤りを検出する伝送誤り検出手段と、アナログ信号をデジタル信号に変換するためのＡ／Ｄコンバータにおけるサンプルタイミングを制御するサンプルタイミング制御手段と、を備え、サンプルタイミング制御手段は、伝送誤り検出手段により伝送誤りが検出された場合に、Ａ／Ｄコンバータにおけるサンプルタイミングを半クロックずらすことを特徴とする。
【００１６】
この発明によれば、受信されたアナログ信号に伝送誤りが検出された場合に、Ａ／Ｄコンバータにおけるサンプルタイミングを半クロックずらすことができる。例えば、サンプルタイミングに誤差が生じたことに起因して伝送誤りが発生していた場合には、サンプルタイミングを半クロックずらすことにより、サンプルタイミングを増やすことなく、サンプルタイミングの誤差を低減させることが可能となる。したがって、消費電力を抑えつつＡ／Ｄコンバータにおけるサンプリングの効率を向上させることができる。
【００１７】
本発明の移動通信端末において、上記サンプルタイミング制御手段は、伝送誤りが予め定められた所定の回数連続して検出された場合に、Ａ／Ｄコンバータにおけるサンプルタイミングを半クロックずらすことが好ましい。また、本発明の移動通信端末において、伝送誤り検出手段による伝送誤りの検出結果に基づいて伝送誤り率を算出する伝送誤り率算出手段をさらに備え、上記サンプルタイミング制御手段は、伝送誤り率算出手段により算出される伝送誤り率が所定の閾値を超えた場合に、Ａ／Ｄコンバータにおけるサンプルタイミングを半クロックずらすことが好ましい。
【発明の効果】
【００１８】
本発明に係る移動通信端末によれば、消費電力を抑えつつＡ／Ｄコンバータにおけるサンプリングの効率を向上させることができる。
【発明を実施するための最良の形態】
【００１９】
以下、本発明に係る移動通信端末の実施形態を図面に基づき説明する。
【００２０】
[第１実施形態]
まず、本発明の第１実施形態について説明する。本実施形態における携帯電話機は、例えば、ＨＳＤＰＡ(high speed downlink packet access)による高速無線通信機能を搭載しており、ハイレートな誤り訂正符号や、１６ＱＡＭ（QuadratureAmplitude Modulation；直行振幅変調）、６４ＱＡＭ等の多値変調を用いることによって、周波数利用効率を高めて高速無線通信を実現している。
【００２１】
図１は、第１実施形態における携帯電話機１Ａの機能構成を例示する図である。図１に示すように、携帯電話機１Ａは、パケット受信部１０Ａと、伝送誤り検出部２０Ａと、再送要求送信部３０Ａと、サンプルタイミング制御部４０Ａとを有する。
【００２２】
パケット受信部１０Ａは、基地局から送信されるパケット（アナログ信号）を受信する。
【００２３】
伝送誤り検出部２０Ａは、パケット受信部１０Ａにより受信されたパケットの伝送誤りを検出する。本実施形態においては、伝送誤り検出方式として、ＣＲＣ（Cyclic Redundancy Check）を採用する。なお、伝送誤り検出方式は、ＣＲＣに限られず、例えば、パリティチェック等の他の伝送誤り検出方式を採用してもよい。
【００２４】
再送要求送信部３０Ａは、伝送誤り検出部２０Ａにより伝送誤りが検出された場合に、当該伝送誤りが検出されたパケットを再送するように要求するための再送要求を基地局に対して送信する。
【００２５】
サンプルタイミング制御部４０Ａは、再送要求送信部３０Ａにより再送要求が送信された場合に、Ａ／Ｄコンバータにおけるサンプルタイミングを半クロックずらす。なお、Ａ／Ｄコンバータは、アナログ信号をデジタル信号に変換する周知のＡＤ変換器である。
【００２６】
ここで、図２を参照して、Ａ／Ｄコンバータにおけるサンプルタイミングについて説明する。図２に示す横軸は時間[ｔ]を示し、縦軸はアナログ信号の振幅を示す。通常のサンプルタイミングはａ１〜ａ４の４点であり、クロックＣＬＫの立ち上がり時にサンプリングされる。一方、サンプルタイミングａ１〜ａ４を半クロックずらしたサンプルタイミングがｂ１〜ｂ４の４点であり、クロックＣＬＫの立ち下がり時にサンプリングされる。これらのサンプルタイミングａ１〜ａ４およびサンプルタイミングｂ１〜ｂ４を合わせると全部で８点のサンプルタイミングとなる。また、サンプルタイミングａ１とサンプルタイミングａ２との間隔Ｃ１が、サンプリング周期すなわち１クロックであり、サンプルタイミングａ１とサンプルタイミングｂ１との間隔Ｃ２が、サンプリング周期の半分すなわち半クロックである。
【００２７】
一般に、伝送誤りにより再送されるパケットの伝送タイミングは、再送前のパケットの伝送タイミングと同じタイミングで送信される。これは、サンプルタイミングの誤差発生は、一定の周期を有することが多く、この周期は再送に要する時間よりも長いため、再送の間にサンプルタイミングがずれてしまうことは希であるからである。したがって、再送されるパケットのサンプルタイミングを、再送前のサンプルタイミングから半クロックずらすことによって、再送されてきたパケットについては実質的に８点のサンプルタイミングでサンプリングすることが可能となる。すなわち、サンプル数を変えることなく、実質的にサンプル数を倍増させた場合と同様の受信特性を得ることができる。
【００２８】
これにより、例えば、図２に示すように、サンプルタイミングａ１〜ａ４でサンプリングしたときには、サンプルタイミングに生じた誤差により、最大振幅位置付近のサンプル点が取りこぼされているため、この場合にはパケットに誤りが発生して再送される可能性が高まる。しかしながら、たとえ再送されたとしても、再送後のサンプルタイミングｂ１〜ｂ４でサンプリングすることによって、サンプルタイミングの誤差が解消され、サンプルタイミングｂ２がほぼ最大振幅位置を捉えることができるため、この場合には最良の受信特性を得ることができる。
【００２９】
ここで、再送後のサンプルタイミングを半クロックずらすこととしているのは、再送後のサンプルタイミングを再送前のサンプルタイミングから最も離れたタイミングにすることができるためである。すなわち、再送の前後で相関関係が最小となるサンプルタイミングを設定することによって、再送前の受信特性が劣悪な場合であっても、再送後の受信特性を良好にすることが可能となるためである。これにより、サンプル数を変えずに受信特性を向上させることが可能となるため、サンプリングの効率が向上する。
【００３０】
次に、図３を参照して、第１実施形態の携帯電話機１Ａにおける一パケットのサンプルタイミング制御処理ついて説明する。
【００３１】
まず、携帯電話機１Ａのパケット受信部１０Ａは、基地局から送信されたパケットを受信する（ステップＳ１）。
【００３２】
次に、伝送誤り検出部２０Ａは、パケット受信部１０Ａにより受信されたパケットの伝送誤りを検出し（ステップＳ２）、その結果、伝送誤りが検出されない場合には（ステップＳ３；ＮＯ）、パケットの受領を正常に終了したことを示す正常終了信号を基地局に送信して（ステップＳ４）、サンプルタイミング制御処理を終了させる。
【００３３】
一方、伝送誤り検出部２０Ａにより伝送誤りが検出された場合に（ステップＳ３；ＹＥＳ）、再送要求送信部３０Ａは、伝送誤りが検出されたパケットを再送するように要求するための再送要求を基地局に送信する（ステップＳ５）。
【００３４】
次に、サンプルタイミング制御部４０Ａは、Ａ／Ｄコンバータにおけるサンプルタイミングを半クロックずらす（ステップＳ６）。そして、基地局からパケットが再送されてきた場合には、この再送パケットを受信し（ステップＳ７）、処理を上述したステップＳ２に移行する。
【００３５】
これにより、パケットが再送されるような受信状況下であっても、再送パケットに対しては、サンプルタイミングを増やすことなく、実質的に倍増させた場合と同様の受信特性を得ることができるため、消費電力を抑えつつＡ／Ｄコンバータにおけるサンプリングの効率を向上させることが可能となる。
【００３６】
[第２実施形態]
次に、本発明の第２実施形態について説明する。第２実施形態における携帯電話機が、第１実施形態における携帯電話機と異なる点は、第１実施形態における携帯電話機では、伝送誤りが検出され、再送要求が送信されたときに、サンプルタイミングを半クロックずらしているのに対し、第２実施形態における携帯電話機では、１６ＱＡＭ等の直行振幅変調により変調されたパケットが再送されてきた場合に、サンプルタイミングを半クロックずらす点で異なる。
【００３７】
まず、図４を参照して第２実施形態における携帯電話機１Ｂの機能構成ついて説明する。図４に示すように、第２実施形態における携帯電話機１Ｂは、パケット受信部１０Ｂと、変調方式判別部５０Ｂと、伝送誤り検出部２０Ｂと、再送要求送信部３０Ｂと、サンプルタイミング制御部４０Ｂとを有する。パケット受信部１０Ｂ、伝送誤り検出部２０Ｂおよび再送要求送信部３０Ｂについては、第１実施形態におけるパケット受信部１０Ａ、伝送誤り検出部２０Ａおよび再送要求送信部３０Ａと同様の機能を有するため、その説明を省略する。
【００３８】
変調方式判別部５０Ｂは、パケット受信部１０Ｂにより受信されたパケットの変調方式を判別する。この変調方式としては、例えば、ＱＰＳＫ（Quadrature Phase Shift Keying；四位相偏移変調）、ＯＦＤＭ（Orthogonal Frequency DivisionMultiplexing；直交波周波数分割多重）、１６ＱＡＭ、６４ＱＡＭ等が該当する。パケットの変調方式は、例えば、基地局から通知される制御信号に含まれており、変調方式判別部５０Ｂは、基地局から通知された制御信号に基づいてパケットの変調方式を判別する。
【００３９】
サンプルタイミング制御部４０Ｂは、再送要求に対応して再送されてきたパケットが、変調方式判別部５０Ｂにより変調方式が１６ＱＡＭであると判別されたパケットである場合に、Ａ／Ｄコンバータにおけるサンプルタイミングを半クロックずらす。なお、変調方式は、１６ＱＡＭに限られず、６４ＱＡＭ等の直行振幅変調であってもよい。すなわち、一般に、直行振幅変調は、高速デジタル通信をする際に用いられる変調方式であるため、高速デジタル通信をしている際に、再送されてきたパケットのサンプルタイミングを半クロックずらすことができればよい。
【００４０】
次に、図５を参照して、第２実施形態の携帯電話機１Ｂにおける一パケットのサンプルタイミング制御処理ついて説明する。
【００４１】
まず、携帯電話機１Ｂのパケット受信部１０Ｂは、基地局から送信されたパケットを受信する（ステップＳ１１）。
【００４２】
次に、変調方式判別部５０Ｂは、パケット受信部１０Ｂにより受信されたパケットの変調方式を判別し（ステップＳ１２）、その判別結果を携帯電話機１Ｂ内のメモリに格納する。
【００４３】
次に、伝送誤り検出部２０Ｂは、パケット受信部１０Ｂにより受信されたパケットの伝送誤りを検出し（ステップＳ１３）、その結果、伝送誤りが検出されない場合には（ステップＳ１４；ＮＯ）、パケットの受領を正常に終了したことを示す正常終了信号を基地局に送信して（ステップＳ１５）、サンプルタイミング制御処理を終了させる。
【００４４】
一方、伝送誤り検出部２０Ｂにより伝送誤りが検出された場合に（ステップＳ１４；ＹＥＳ）、再送要求送信部３０Ｂは、伝送誤りが検出されたパケットを再送するように要求するための再送要求を基地局に送信する（ステップＳ１６）。これにより、基地局からパケットが再送され、携帯電話機１Ｂは、再送されたパケットを受信する（ステップＳ１７）。
【００４５】
次に、サンプルタイミング制御部４０Ｂは、再送要求に対応して再送されてきたパケットの変調方式が１６ＱＡＭであるか否かを、メモリを参照して判定する（ステップＳ１８）。この判定がＮＯである場合には（ステップＳ１８；ＮＯ）、処理を上述したステップＳ１３に移行する。
【００４６】
一方、ステップＳ１８において、変調方式が１６ＱＡＭであると判定された場合に（ステップＳ１８；ＹＥＳ）、サンプルタイミング制御部４０Ｂは、Ａ／Ｄコンバータにおけるサンプルタイミングを半クロックずらす（ステップＳ１９）。そして、処理を上述したステップＳ１３に移行する。
【００４７】
これにより、１６ＱＡＭにより変調されたパケットが再送された場合には、そのパケットのサンプルタイミングを実質的に倍増させることができるため、高速デジタル通信をする際に用いられる変調方式によりパケットが送信され、再送されるような受信状況下であっても、サンプルタイミングを増やすことなく、サンプルタイミングを倍増させてサンプリングした場合と同様の受信特性を得ることが可能となる。したがって、消費電力を抑えつつＡ／Ｄコンバータにおけるサンプリングの効率を向上させることができる。
【００４８】
[第３実施形態]
次に、本発明の第３実施形態について説明する。第３実施形態における携帯電話機が、第１実施形態における携帯電話機と異なる点は、第１実施形態における携帯電話機では、伝送誤りが検出され、再送要求が送信されたときに、サンプルタイミングを半クロックずらしているのに対し、第３実施形態における携帯電話機では、データサイズの閾値を超えたパケットが再送されてきた場合に、サンプルタイミングを半クロックずらす点で異なる。
【００４９】
まず、図６を参照して第３実施形態における携帯電話機１Ｃの機能構成ついて説明する。図６に示すように、第３実施形態における携帯電話機１Ｃは、パケット受信部１０Ｃと、データサイズ判定部６０Ｃと、伝送誤り検出部２０Ｃと、再送要求送信部３０Ｃと、サンプルタイミング制御部４０Ｃとを有する。パケット受信部１０Ｃ、伝送誤り検出部２０Ｃおよび再送要求送信部３０Ｃについては、第１実施形態におけるパケット受信部１０Ａ、伝送誤り検出部２０Ａおよび再送要求送信部３０Ａと同様の機能を有するため、その説明を省略する。
【００５０】
データサイズ判定部６０Ｃは、パケット受信部１０Ｃにより受信されたパケットのデータサイズが所定の閾値を超えているか否かを判定する。この閾値は、データサイズと受信特性との関係に基づいて設定され、例えば、受信特性が劣悪であると判断されたときのデータサイズと、受信特性が良好であると判断されたときのデータサイズとの間に設定される。また、パケットのデータサイズは、例えば、基地局から通知される制御信号に含まれており、データサイズ判定部６０Ｃは、基地局から通知された制御信号に基づいてパケットのデータサイズが閾値を超えているか否かを判定する。
【００５１】
サンプルタイミング制御部４０Ｃは、再送要求に対応して再送されてきたパケットが、データサイズ判定部６０Ｃによりデータサイズが閾値を超えていると判定されたパケットである場合に、Ａ／Ｄコンバータにおけるサンプルタイミングを半クロックずらす。
【００５２】
次に、図７を参照して、第３実施形態の携帯電話機１Ｃにおける一パケットのサンプルタイミング制御処理ついて説明する。
【００５３】
まず、携帯電話機１Ｃのパケット受信部１０Ｃは、基地局から送信されたパケットを受信する（ステップＳ２１）。
【００５４】
次に、データサイズ判定部６０Ｃは、パケット受信部１０Ｃにより受信されたパケットのデータサイズが所定の閾値を超えるか否かを判定し（ステップＳ２２）、その判定結果を携帯電話機１Ｃ内のメモリに格納する。
【００５５】
次に、伝送誤り検出部２０Ｃは、パケット受信部１０Ｃにより受信されたパケットの伝送誤りを検出し（ステップＳ２３）、その結果、伝送誤りが検出されない場合には（ステップＳ２４；ＮＯ）、パケットの受領を正常に終了したことを示す正常終了信号を基地局に送信して（ステップＳ２５）、サンプルタイミング制御処理を終了させる。
【００５６】
一方、伝送誤り検出部２０Ｃにより伝送誤りが検出された場合に（ステップＳ２４；ＹＥＳ）、再送要求送信部３０Ｃは、伝送誤りが検出されたパケットを再送するように要求するための再送要求を基地局に送信する（ステップＳ２６）。これにより、基地局からパケットが再送され、携帯電話機１Ｂは、再送されたパケットを受信する（ステップＳ２７）。
【００５７】
次に、サンプルタイミング制御部４０Ｃは、再送要求に対応して再送されてきたパケットのデータサイズが閾値を超えているか否かを、メモリを参照して判定する（ステップＳ２８）。この判定がＮＯである場合には（ステップＳ２８；ＮＯ）、処理を上述したステップＳ２３に移行する。
【００５８】
一方、ステップＳ２８において、データサイズが閾値を超えていると判定された場合に（ステップＳ２８；ＹＥＳ）、サンプルタイミング制御部４０Ｃは、Ａ／Ｄコンバータにおけるサンプルタイミングを半クロックずらす（ステップＳ２９）。そして、処理を上述したステップＳ２３に移行する。
【００５９】
これにより、データサイズが閾値を超えたパケットが再送された場合には、そのパケットのサンプルタイミングを実質的に倍増させることができるため、大容量のパケットが送信され、再送されるような受信状況下であっても、サンプルタイミングを増やすことなく、サンプルタイミングを倍増させてサンプリングした場合と同様の受信特性を得ることが可能となる。したがって、消費電力を抑えつつＡ／Ｄコンバータにおけるサンプリングの効率を向上させることができる。
【００６０】
[第４実施形態]
次に、本発明の第４実施形態について説明する。第４実施形態における携帯電話機が、第１実施形態における携帯電話機と異なる点は、第１実施形態における携帯電話機では、伝送誤りが検出され、再送要求が送信されたときに、サンプルタイミングを半クロックずらしているのに対し、第４実施形態における携帯電話機では、伝送誤り率が閾値を超えた場合に、サンプルタイミングを半クロックずらす点で異なる。
【００６１】
まず、図８を参照して第４実施形態における携帯電話機１Ｄの機能構成ついて説明する。図８に示すように、第４実施形態における携帯電話機１Ｄは、パケット受信部１０Ｄと、伝送誤り検出部２０Ｄと、伝送誤り率算出部７０Ｄと、サンプルタイミング制御部４０Ｄとを有する。パケット受信部１０Ｄおよび伝送誤り検出部２０Ｄについては、第１実施形態におけるパケット受信部１０Ａおよび伝送誤り検出部２０Ａと同様の機能を有するため、その説明を省略する。
【００６２】
伝送誤り率算出部７０Ｄは、伝送誤り検出部２０Ｄによる伝送誤りの検出結果に基づいて伝送誤り率を算出する。この伝送誤り率としては、例えば、所定期間内に検出された伝送誤りの回数および正常伝送回数に基づいて算出されるBlock Error Rate（ＢＬＥＲ）を採用することができる。
【００６３】
サンプルタイミング制御部４０Ｄは、伝送誤り率算出部７０Ｄにより算出された伝送誤り率が所定の閾値を超えた場合に、Ａ／Ｄコンバータにおけるサンプルタイミングを半クロックずらす。この閾値は、伝送誤り率と受信特性との関係に基づいて設定され、例えば、受信特性が劣悪であると判断されたときの伝送誤り率と、受信特性が良好であると判断されたときの伝送誤り率との間に設定される。
【００６４】
次に、図９を参照して、第４実施形態の携帯電話機１Ｄにおける一パケットのサンプルタイミング制御処理ついて説明する。
【００６５】
まず、携帯電話機１Ｄのパケット受信部１０Ｄは、基地局から送信されたパケットを受信する（ステップＳ３１）。
【００６６】
次に、伝送誤り検出部２０Ｄは、パケット受信部１０Ｄにより受信されたパケットの伝送誤りを検出し（ステップＳ３２）、その検出結果を携帯電話機１Ｄ内のメモリに格納する。
【００６７】
次に、伝送誤り率算出部７０Ｄは、メモリに格納された伝送誤りの検出結果に基づいて伝送誤り率を算出する（ステップＳ３３）。
【００６８】
次に、サンプルタイミング制御部４０Ｄは、伝送誤り率算出部７０Ｄにより算出された伝送誤り率が所定の閾値以下であると判断した場合には（ステップＳ３４；ＮＯ）、サンプルタイミング制御処理を終了する。
【００６９】
一方、伝送誤り率が所定の閾値を超えていると判断した場合に（ステップＳ３４；ＹＥＳ）、サンプルタイミング制御部４０Ｄは、Ａ／Ｄコンバータにおけるサンプルタイミングを半クロックずらし（ステップＳ３５）、サンプルタイミング制御処理を終了する。
【００７０】
これにより、伝送誤り率が所定の閾値を超えている場合には、サンプルタイミングを半クロックずらすことができるため、次回以降にパケットを受信した場合には、半クロックずれたサンプルタイミングによってサンプリングされることになる。したがって、例えば、サンプルタイミングに生じた誤差が原因で伝送誤り率が増大していた場合には、サンプルタイミングを増やすことなく、サンプルタイミングの誤差を低減させることが可能となり、ひいては、消費電力を抑えつつＡ／Ｄコンバータにおけるサンプリングの効率を向上させることができる。
【００７１】
なお、第４実施形態においては、伝送誤り率が閾値を超えた場合にサンプルタイミングを半クロックずらしているが、サンプルタイミングをずらすタイミングは、これに限られない。例えば、伝送誤り率を算出せずに、伝送誤りが検出されるたびに、サンプルタイミングを半クロックずらすこととしてもよい。また、伝送誤りが所定回数連続して検出された場合に、サンプルタイミングを半クロックずらすこととしてもよい。
【００７２】
また、上述した各実施形態における機能を適宜組み合わせることは可能である。例えば、第２実施形態における携帯電話機の機能構成に、第３実施形態における携帯電話機の機能構成を組み込むこととしてもよい。すなわち、第３実施形態におけるデータサイズ判定部６０Ｃを、第２実施形態に組み込むことができる。この場合に、サンプルタイミング制御部４０Ｂは、再送要求に対応して再送されてきたパケットが、変調方式判別部５０Ｂによって変調方式が１６ＱＡＭであると判別されたパケットであり、かつ、データサイズ判定部６０Ｃによってデータサイズが所定の閾値を超えていると判定されたパケットである場合に、Ａ／Ｄコンバータにおけるサンプルタイミングを半クロックずらすことになる。これにより、１６ＱＡＭにより変調され、かつ、データサイズが閾値を超えているパケットが再送されてきた場合に、サンプルタイミングを増やすことなく、再送されてきたパケットのサンプルタイミングを実質的に倍増させた場合と同様の受信特性を得ることが可能となる。したがって、消費電力を抑えつつＡ／Ｄコンバータにおけるサンプリングの効率を向上させることができる。
【００７３】
また、上述した各実施形態においては、移動通信端末の具体例として携帯電話機を用いて説明するが、移動通信端末の具体例はこれに限られず、例えば、簡易型携帯電話機（ＰＨＳ）や通信機能を有する携帯型情報端末（ＰＤＡ）等の移動通信端末であってもよい。また、携帯電話機は、必ずしも高速無線通信機能を搭載する必要はない。しかしながら、携帯電話機に高速無線通信機能を搭載した場合には、上述した各実施形態におけるサンプリング制御技術を採用しないと、消費電力を抑えつつサンプリングを効率よく行うことは困難である。これは、現在、商用化されているＷ−ＣＤＭＡ方式では、ＱＰＳＫや、低レート符号化が適用されているため、サンプルタイミングに生じた誤差が受信特性に及ぼす影響はほとんど考えられないのに対し、高速無線通信を実現するために採用されるＨＳＤＰＡでは、１６ＱＡＭや、高レート符号化が適用されるため、サンプルタイミングに生じた誤差が受信特性に及ぼす影響が増大し、受信特性劣化の大きな要因となるからである。
【図面の簡単な説明】
【００７４】
【図１】第１実施形態における携帯電話機の機能構成を示すブロック図である。
【図２】Ａ／Ｄコンバータにおけるサンプルタイミングを説明するための図である。
【図３】第１実施形態の携帯電話機におけるサンプルタイミング制御処理を説明するためのフローチャートである。
【図４】第２実施形態における携帯電話機の機能構成を示すブロック図である。
【図５】第２実施形態の携帯電話機におけるサンプルタイミング制御処理を説明するためのフローチャートである。
【図６】第３実施形態における携帯電話機の機能構成を示すブロック図である。
【図７】第３実施形態の携帯電話機におけるサンプルタイミング制御処理を説明するためのフローチャートである。
【図８】第４実施形態における携帯電話機の機能構成を示すブロック図である。
【図９】第４実施形態の携帯電話機におけるサンプルタイミング制御処理を説明するためのフローチャートである。
【符号の説明】
【００７５】
１Ａ，１Ｂ，１Ｃ，１Ｄ・・・携帯電話機、１０Ａ，１０Ｂ，１０Ｃ，１０Ｄ・・・パケット受信部、２０Ａ，２０Ｂ，２０Ｃ，２０Ｄ・・・伝送誤り検出部、３０Ａ，３０Ｂ，３０Ｃ・・・再送要求送信部、４０Ａ，４０Ｂ，４０Ｃ・・・サンプルタイミング制御部、５０Ｂ・・・変調方式判別部、６０Ｃ・・・データサイズ判定部、７０Ｄ・・・伝送誤り率算出部。
【図１】
2006254335.tif 000003
【図２】
2006254335.tif 000004
【図３】
2006254335.tif 000005
【図４】
2006254335.tif 000006
【図５】
2006254335.tif 000007
【図６】
2006254335.tif 000008
【図７】
2006254335.tif 000009
【図８】
2006254335.tif 000010
【図９】
2006254335.tif 000011